(57)【要約】  トウバンドの製造方法は、水を添着された複数本のフィラメントが捲縮されてなる複数種類のトウバンドを、蛇行させて搬送しながら単一の乾燥装置で乾燥することにより、複数種類のトウバンドの各トウバンドに含まれる水の一部を除去する除去工程と、乾燥装置を通過した各トウバンドに含まれる水の残留量をそれぞれ検出する検出工程と、乾燥装置を通過した各トウバンドに含まれる水の残留量がそれぞれ目標値となるように、検出工程の検出結果に基づいて、各トウバンドの蛇行の振動幅を調整する調整工程と、を有する。
2017021995.tif 000002
【特許請求の範囲】
【請求項１】
水を添着された複数本のフィラメントが捲縮されてなる複数種類のトウバンドを、蛇行させて搬送しながら単一の乾燥装置で乾燥することにより、前記複数種類のトウバンドの各トウバンドに含まれる水の一部を除去する除去工程と、
前記乾燥装置を通過した前記各トウバンドに含まれる水の残留量をそれぞれ検出する検出工程と、
前記乾燥装置を通過した前記各トウバンドに含まれる水の残留量がそれぞれ目標値となるように、前記検出工程の検出結果に基づいて、前記各トウバンドの蛇行の振動幅を調整する調整工程と、を有する、トウバンドの製造方法。
【請求項２】
前記各トウバンドを搬送する前記乾燥装置の搬送装置よりも搬送方向上流側に設けられ、水平面内で搬送方向の両側に揺動する揺動部を有する揺動装置の前記揺動部に前記各トウバンドを接触させることにより、前記各トウバンドを蛇行させた状態で前記搬送装置に搬送させる、請求項１に記載のトウバンドの製造方法。
【請求項３】
水平面内で搬送方向と直交する方向に間隔をおいて設けられた複数の前記揺動装置を用いて、前記各トウバンドを並列させて蛇行させた状態で前記搬送装置に搬送させる、請求項２に記載のトウバンドの製造方法。
【請求項４】
前記揺動装置の搬送方向下流側において、水平面内で前記各トウバンドの搬送方向の両側に設けられて前記各トウバンドをガイドする一対のガイド部材の間の間隙を調整することにより、前記各トウバンドの前記蛇行の振動幅を調整する、請求項２または３に記載のトウバンドの製造方法。
【請求項５】
前記検出工程は、前記各トウバンドに対応して設けられた複数の検出装置の検出結果に基づいて行う、請求項１〜４のいずれか１項に記載のトウバンドの製造方法。
【請求項６】
前記各トウバンドは、互いにフィラメントデニールまたはトータルデニールが異なる、請求項１〜５のいずれか１項に記載のトウバンドの製造方法。
【請求項７】
水を添加された複数本のフィラメントが捲縮されてなる複数種類のトウバンドを、蛇行させて搬送しながら乾燥することにより、前記複数種類のトウバンドの各トウバンドに含まれる水の一部を除去する単一の乾燥装置と、
前記乾燥装置を通過した前記各トウバンドに含まれる水の残留量をそれぞれ検出する検出装置と、を備え、
前記乾燥装置を通過した前記各トウバンドに含まれる水の残留量がそれぞれ目標値となるように、前記検出装置の検出結果に基づいて、前記各トウバンドの蛇行の振動幅を調整可能に構成されている、トウバンド製造装置。
【請求項８】
前記検出装置の検出結果を表示する表示部を更に備える、請求項７に記載のトウバンド製造装置。
【請求項９】
前記乾燥装置は、前記各トウバンドを搬送する搬送装置を有し、
前記搬送装置よりも搬送方向上流側に設けられ、水平面内で搬送方向の両側に揺動する揺動部を有する揺動装置を更に備え、
前記揺動部に前記各トウバンドが接触されることにより、前記各トウバンドが蛇行した状態で前記搬送装置に搬送される、請求項７または８に記載のトウバンド製造装置。
【請求項１０】
複数の前記揺動装置が、水平面内で搬送方向と直交する方向に間隔をおいて設けられ、前記各トウバンドが並列して蛇行した状態で前記搬送装置に搬送される、請求項９に記載のトウバンド製造装置。
【請求項１１】
前記揺動装置の搬送方向下流側において、水平面内で前記各トウバンドの搬送方向の両側に前記各トウバンドをガイドする一対のガイド部材が設けられ、
前記一対のガイド部材の間の間隙を調整することにより、前記各トウバンドの前記蛇行の振動幅が調整される、請求項９または１０に記載のトウバンド製造装置。
【請求項１２】
複数の前記検出装置が、前記各トウバンドに対応して設けられている、請求項７〜１１のいずれか１項に記載のトウバンド製造装置。
【発明の詳細な説明】
【技術分野】
【０００１】
本発明は、単一の乾燥装置を用いて複数種類のトウバンドを乾燥させるトウバンドの製造方法及びトウバンド製造装置に関する。
【背景技術】
【０００２】
シガレットフィルターは、例えば、セルロースアセテート繊維等の複数本のフィラメントを用いたトウバンドにより製造される。トウバンド製造装置では、特許文献１に開示されるように、例えば、紡糸筒で紡糸した複数本のフィラメントがゴデットローラで合一されてヤーンが形成され、複数本のヤーンが更に合一されてヤーン束が形成される。ヤーン束は、水を添着して可塑化し易くされた後、捲縮装置に搬送される。捲縮装置では、例えば、一対のニップローラの間にヤーン束が挿通され、一対のニップローラの搬送方向下流側に設けられたスタッフィングボックスに押し込まれることで、ヤーン束が捲縮される。このようにして得られたトウバンドは、乾燥装置で乾燥されてベール状に折り畳まれ、梱包容器に梱包される。【０００３】
フィルターロッド製造装置（「プラグ巻上機」とも称する。）では、特許文献２に開示されるように、例えば、梱包容器から繰り出されたトウバンドが開繊されて可塑剤を添着され、ロッド状に成形される。その後、トウバンドの外周に巻紙が巻回されてフィルターロッド（「プラグ」とも称する。）が製造される。このフィルターロッドを所定長さに切断することにより、シガレットフィルターが製造される。
【先行技術文献】
【特許文献】
【０００４】
【特許文献１】特表２００８−５０４４５７号公報
【特許文献２】特開２００３−３８１５７号公報
【発明の概要】
【発明が解決しようとする課題】
【０００５】
例えば、ＦＤ（フィラメントデニール）またはＴＤ（トータルデニール）のいずれかが異なる複数種類のトウバンドをトウバンド製造装置で並行して製造する場合、単一の乾燥装置で複数種類のトウバンドを並行して乾燥させる場合がある。複数種類のトウバンドは、フィルターロッド製造装置において複数本のフィラメント同士のもつれを防ぎながら適切に開繊されるようにするため、それぞれに応じた適量の水を含むことが望ましい。【０００６】
そこで本発明は、複数種類のトウバンドを並行して製造する場合において、単一の乾燥装置を用いながら、各トウバンドに含まれる水の残留量がそれぞれに応じて適量になるように、各トウバンドを並行して乾燥可能にすることを目的とする。
【課題を解決するための手段】
【０００７】
本発明の一態様に係るトウバンドの製造方法は、水を添着された複数本のフィラメントが捲縮されてなる複数種類のトウバンドを、蛇行させて搬送しながら単一の乾燥装置で乾燥することにより、前記複数種類のトウバンドの各トウバンドに含まれる水の一部を除去する除去工程と、前記乾燥装置を通過した前記各トウバンドに含まれる水の残留量をそれぞれ検出する検出工程と、前記乾燥装置を通過した前記各トウバンドに含まれる水の残留量がそれぞれ目標値となるように、前記検出工程の検出結果に基づいて、前記各トウバンドの蛇行の振動幅を調整する調整工程と、を有する。【０００８】
上記方法によれば、乾燥装置を通過した各トウバンドに含まれる水の残留量をそれぞれ検出し、この検出結果に基づいて、乾燥装置を通過した各トウバンドに含まれる水の残留量がそれぞれ目標値となるように、各トウバンドの蛇行の振動幅を調整する。従って、例えば、ＦＤまたはＴＤのいずれかが異なる複数種類のトウバンドを、単一の乾燥装置を用いて並行して乾燥させる場合であっても、各トウバンドに含まれる水の残留量がそれぞれに応じて適量になるように、各トウバンドを適切に乾燥させることができる。【０００９】
また、前記各トウバンドを搬送する前記乾燥装置の搬送装置よりも搬送方向上流側に設けられ、水平面内で搬送方向の両側に揺動する揺動部を有する揺動装置の前記揺動部に前記各トウバンドを接触させることにより、前記各トウバンドを蛇行させた状態で前記搬送装置に搬送させてもよい。【００１０】
上記方法によれば、水平面内で搬送方向の両側に揺動する揺動部を有する揺動装置の前記揺動部に各トウバンドを接触させ、各トウバンドを蛇行させた状態で搬送装置に搬送させることにより、乾燥装置において、搬送方向上流側から各トウバンドを効率よく乾燥させることができる。【００１１】
また、水平面内で搬送方向と直交する方向に間隔をおいて設けられた複数の前記揺動装置を用いて、前記各トウバンドを並列させて蛇行させた状態で前記搬送装置に搬送させてもよい。【００１２】
上記方法によれば、水平面内で搬送方向と直交する方向に間隔をおいて設けられた複数の前記揺動装置を用いることにより、各トウバンドが互いに干渉するのを防止しながら、各トウバンドを並列させて蛇行させた状態で搬送装置に搬送させ、乾燥装置において、各トウバンドを並行して効率よく乾燥させることができる。【００１３】
また、前記揺動装置の搬送方向下流側において、水平面内で前記各トウバンドの搬送方向の両側に設けられて前記各トウバンドをガイドする一対のガイド部材の間の間隙を調整することにより、前記各トウバンドの前記蛇行の振動幅を調整してもよい。【００１４】
上記方法によれば、一対のガイド部材の間の間隙を調整することにより、各トウバンドの蛇行の振動幅を容易に調整できる。【００１５】
また、前記検出工程は、前記各トウバンドに対応して設けられた複数の検出装置の検出結果に基づいて行ってもよい。【００１６】
上記方法によれば、前記検出工程を、前記各トウバンドに対応して設けられた複数の検出装置の検出結果に基づいて行うことにより、各トウバンドに含まれる水の残留量を個別にかつ精度よく検出できる。【００１７】
また、前記各トウバンドは、互いにフィラメントデニールまたはトータルデニールが異なっていてもよい。このような複数種類のトウバンドを製造する場合でも、各トウバンドを単一の乾燥装置を用いて適切に乾燥させることができる。【００１８】
本発明の一態様に係るトウバンド製造装置は、水を添加された複数本のフィラメントが捲縮されてなる複数種類のトウバンドを、蛇行させて搬送しながら乾燥することにより、前記複数種類のトウバンドの各トウバンドに含まれる水の一部を除去する単一の乾燥装置と、前記乾燥装置を通過した前記各トウバンドに含まれる水の残留量をそれぞれ検出する検出装置と、を備え、前記乾燥装置を通過した前記各トウバンドに含まれる水の残留量がそれぞれ目標値となるように、前記検出装置の検出結果に基づいて、前記各トウバンドの蛇行の振動幅を調整可能に構成されている。【００１９】
上記構成によれば、乾燥装置を通過した各トウバンドに含まれる水の残留量を検出装置でそれぞれ検出し、この検出装置の検出結果に基づいて、乾燥装置を通過した各トウバンドに含まれる水の残留量がそれぞれ目標値となるように、各トウバンドの蛇行の振動幅を調整する。従って、例えば、ＦＤまたはＴＤのいずれかが異なる複数種類のトウバンドを、単一の乾燥装置を用いて並行して乾燥させる場合であっても、各トウバンドに含まれる水の残留量がそれぞれに応じて適量になるように、各トウバンドを適切に乾燥させることができる。【００２０】
また、前記検出装置の検出結果を表示する表示部を更に備えていてもよい。この構成によれば、オペレータが表示部を確認することで、検出装置の検出結果を容易かつ迅速に知ることができる。【００２１】
また、前記乾燥装置は、前記各トウバンドを搬送する搬送装置を有し、前記搬送装置よりも搬送方向上流側に設けられ、水平面内で搬送方向の両側に揺動する揺動部を有する揺動装置を更に備え、前記揺動部に前記各トウバンドが接触されることにより、前記各トウバンドが蛇行した状態で前記搬送装置に搬送されてもよい。【００２２】
上記構成によれば、水平面内で搬送方向の両側に揺動する揺動部に各トウバンドを接触させ、各トウバンドを蛇行させた状態で搬送装置に搬送させることにより、乾燥装置において、搬送方向上流側から各トウバンドを効率よく乾燥させることができる。【００２３】
また、複数の前記揺動装置が、水平面内で搬送方向と直交する方向に間隔をおいて設けられ、前記各トウバンドが並列して蛇行した状態で前記搬送装置に搬送されてもよい。【００２４】
上記構成によれば、水平面内で搬送方向と直交する方向に間隔をおいて設けられた複数の揺動装置を用いることにより、各トウバンドを並列させて蛇行させた状態で搬送装置に搬送させ、乾燥装置において、各トウバンドを並行して効率よく乾燥させることができる。【００２５】
また、前記揺動装置の搬送方向下流側において、水平面内で前記各トウバンドの搬送方向の両側に前記各トウバンドをガイドする一対のガイド部材が設けられ、前記一対のガイド部材の間の間隙を調整することにより、前記各トウバンドの前記蛇行の振動幅が調整されてもよい。【００２６】
上記構成によれば、一対のガイド部材の間の間隙を調整することにより、各トウバンドの蛇行の振動幅を容易に調整できる。【００２７】
また、複数の前記検出装置が、前記各トウバンドに対応して設けられていてもよい。この構成によれば、各トウバンドに対応して設けられた複数の検出装置により、各トウバンドに含まれる水の残留量を個別にかつ精度よく検出できる。
【発明の効果】
【００２８】
本発明によれば、複数種類のトウバンドを並行して製造する場合において、単一の乾燥装置を用いながら、各トウバンドに含まれる水の残留量がそれぞれに応じて適量になるように、各トウバンドを並行して乾燥できる。
【図面の簡単な説明】
【００２９】
【図１】トウバンド製造装置の全体図である。
【図２】揺動装置と搬送装置とを鉛直方向に見下ろした図である。
【図３】トウバンド製造装置の機能ブロック図である。
【発明を実施するための形態】
【００３０】
本発明の実施形態について、各図を参照して説明する。以下の説明において、左右方向とは、トウバンド１０３の搬送方向と水平面内で直交する方向を指す。
【００３１】
［トウバンド製造装置］
図１は、トウバンド製造装置１の全体図である。図１に示すように、トウバンド製造装置１は、ミキサー２、濾過装置３、紡糸装置４、オイリング装置５、ゴデットローラ６、ガイドピン７、８、水添着装置９、捲縮装置１０、揺動装置１１、ガイド装置１２、乾燥装置１３、梱包装置１４、及び、制御装置１５を備えている。また、トウバンド製造装置１は、水添着装置９の搬送方向上流側に設けられた第１検出装置Ｄ１と、乾燥装置１３の搬送方向下流側に設けられた第２検出装置Ｄ２とを更に備えている。トウバンド製造装置１は、少なくとも水添着装置９から梱包装置１４に至る複数のトウバンド１０３の搬送経路Ｌを有し、ＦＤ及びＴＤの異なる複数種類のトウバンドを、各搬送経路Ｌに搬送しながら並行して製造できるように構成されている。
【００３２】
ミキサー２は、混合容器１６と攪拌機１７とを有し、フィラメント１００の材料（本実施形態ではセルロースアセテート繊維の材料）を含む紡糸原液を調整する。濾過装置３は、ミキサー２から供給される紡糸原液を濾過して不純物を除去する。
【００３３】
紡糸装置４は、紡糸筒１８、紡糸口金１９、及び、不図示の紡糸ポンプを有し、複数本のフィラメント１００を紡糸する。紡糸筒１８は、間隔をおいて複数並設されている。図１では、単一の紡糸筒１８の構成のみを例示している。紡糸口金１９は、各紡糸筒１８の上部に設けられている。紡糸装置４では、一例として乾式紡糸法に基づき、紡糸ポンプを駆動することにより、濾過装置３を通過した紡糸原液が各紡糸口金１９に送り込まれ、各紡糸口金１９に形成された複数の紡糸孔から紡糸筒１８の内部で下方に吐出されて複数本のフィラメント１００が紡糸される。複数本のフィラメント１００が、各紡糸筒１８から搬送方向下流側に搬送されながら合一されることにより、ヤーン１０１が形成される。トウバンド製造装置１では、複数の紡糸筒１８でＦＤ及びＴＤの異なる複数本のフィラメント１００が並行して紡糸され、かつ合一されることにより、複数種類のヤーン１０１が形成される。
【００３４】
オイリング装置５は、各紡糸筒１８の下方に配置され、ヤーン１０１にオイルエマルジョンを付着させる。オイルエマルジョンには、一例として水及び繊維油剤が含まれる。ゴデットローラ６は、各オイリング装置５の下方に配置されて回転駆動されることにより、ヤーン１０１を周面に接触させて搬送方向下流側に搬送する。
【００３５】
ガイドピン７、８は、各ゴデットローラ６の搬送方向下流側において、ヤーン１０１と接触することにより、ヤーン１０１を搬送方向下流側に案内する。複数本のヤーン１０１が、搬送方向下流側に向けて搬送されながら合一されることにより、ヤーン束１０２が形成される。ヤーン束１０２は、水添着装置９に搬送される。水添着装置９は、各搬送経路Ｌに設けられ、ヤーン束１０２に水を添着し、ヤーン束１０２を可塑化して捲縮し易くする。なお、水添着装置９では、水に加えて、アルコール等の水溶性有機溶媒をヤーン束１０２に添着してもよい。
【００３６】
捲縮装置１０は、各搬送経路Ｌに設けられ、水添着装置９を通過したヤーン束１０２を個別に捲縮する。捲縮装置１０はスタッフィングボックス式であり、一対のニップローラ（フィードローラ、クリンプローラまたは押し込みローラとも称する。）２０、２１及びスタッフィングボックス２２を有する。一対のニップローラ２０、２１は、平行に軸支されるように配置されて回転駆動されることにより、ヤーン束１０２を一対のニップローラ２０、２１間のニップ部Ｎに挿通させる。スタッフィングボックス２２は、第１板材２３、第２板材２４及び第３板材２５を有し、一対のニップローラ２０、２１の搬送方向下流側に配置される。第１板材２３及び第２板材２４は、互いの板面が対向配置される。第３板材２５は、第１板材２３及び第２板材２４の間において、第１板材２３から第２板材２４に向けて延びるように配置される。第３板材２５の搬送方向下流側の端部は、第２板材２４の板面を押圧する方向に付勢されている。第１板材２３、第２板材２４及び第３板材２５は、一例として平板状であるが、このうち少なくともいずれかが曲板状でもよい。
【００３７】
水添着装置９により水が添着されたヤーン束１０２は、一対のニップローラ２０、２１の間に挿通される際に、ニップ部Ｎにおいて微細な１次捲縮が掛けられ、その後、ニップ部Ｎから解放されてスタッフィングボックス２２内に押し込まれる。図１に示すように、第３板材２５の搬送方向下流側の端部が第２板材２４の板面に押圧されることにより、スタッフィングボックス２２の内部空間は、搬送方向下流側に向けて狭くなっている。ヤーン束１０２は、スタッフィングボックス２２内で上下方向に蛇行して座屈しながら一時的に滞留した後、第２板材２４と第３板材２５との間を通過して搬送方向下流側に搬出される。これにより、高次捲縮が掛けられたトウバンド１０３が形成される。
【００３８】
揺動装置１１は、各搬送経路Ｌに設けられ、捲縮装置１０を通過したトウバンド１０３を左右方向に蛇行させて搬送させる。揺動装置１１は、ベース部３０、軸部３１、及び、揺動部３２を有する。ベース部３０には、揺動装置用モータＭ１及びカム機構３０ａが内蔵され、揺動装置用モータＭ１の回転駆動力が、カム機構３０ａを介して軸部３１に伝達される。軸部３１は、ベース部３０の上方に垂直方向に延びている。カム機構３０ａは、揺動機構の一例であり、軸部３１はカム機構３０ａの働きにより、その軸周りに所定角度で往復回転する。なお、揺動機構はカム機構３０ａに限定されず、例えば、クランク機構でもよい。揺動部３２は、搬送方向に延びる長尺状であり、長手方向と直交する断面が下方に窪んだ凹状の流通路３２ａを有する。流通路３２ａは、搬送方向下流側に向かって下り勾配となるように傾斜して延び、トウバンド１０３が流通される。なお、流通路３２ａは、搬送方向に水平に延びていてもよい。揺動部３２の搬送方向上流側の端部は、軸部３１の上端部に固定されている。
【００３９】
図２は、揺動装置１１と搬送装置４０とを鉛直方向に見下ろした図である。トウバンド製造装置１の稼働時には、揺動部３２は、揺動装置用モータＭ１及びカム機構３０ａ（図１参照）により、軸部３１の軸心を揺動中心Ｑとして、軸部３１の軸周りに、水平面内で搬送方向の両側に所定角度の振り幅で揺動する。これにより、揺動部３２と接触しながら流通路３２ａを通過したトウバンド１０３が、右方向及び左方向に交互に振られて蛇行される。図２では、揺動部３２が最大の振り幅で揺動した際の揺動部３２の幅方向中央を通る直線Ｐの各位置を示している。トウバンド製造装置１では、各揺動装置１１が各搬送経路Ｌに対応するように、左右方向に間隔をおいて設けられている。これにより、複数種類のトウバンド１０３が並列されて蛇行した状態で搬送される。
【００４０】
ガイド装置１２は、揺動装置１１の搬送方向下流側において、各搬送経路Ｌを搬送されるトウバンド１０３を搬送方向にガイドしながら、トウバンド１０３の左右方向における蛇行の振動幅を調整する。ガイド装置１２は、ステージ部３５と、複数対のガイド部材３６、３７とを有する。ステージ部３５は板体であり、上面が水平になるように配置されている。各対のガイド部材３６、３７は、搬送方向に延びるトウバンド１０３の各搬送路を左右方向に挟むように、間隙をおいてステージ部３５の上面に固定されている。図２では、一例として、隣接する搬送路Ｒ１、Ｒ２を左右方向にそれぞれ挟むように、ステージ部３５の上面に固定された二対のガイド部材３６、３７と、二対のガイド部材３６、３７の間の間隙で蛇行されながら搬送路Ｒ１、Ｒ２を搬送される２種類のトウバンド１０３（トウバンド１０３Ａ、１０３Ｂ）とを示している。
【００４１】
ガイド部材３６、３７は、板材を用いて形成され、固定部３６ａ、３７ａと、ガイド部３６ｂ、３７ｂとを有する。固定部３６ａ、３７ａは、ステージ部３５の上面に沿って左右方向にスライド移動可能に、ステージ部３５の上面に固定される。固定部３６ａ、３７ａには、左右方向に延びかつ厚み方向に貫通する複数の長孔３６ａ１、３７ａ１が形成されている。ガイド部３６ｂ、３７ｂは、固定部３６ａ、３７ａの互いに対向する左右方向一端部から垂直方向に延び、水平面内でトウバンド１０３の搬送方向を挟む両側に一対設けられる。これによりガイド部３６ｂ、３７ｂは、トウバンド１０３と接触しながら、トウバンド１０３を搬送方向にガイドする。オペレータが、長孔３６ａ１、３７ａ１にボルトＢを挿通させ、ステージ部３５に設けられたねじ孔３５ａにボルトＢを締め込むことにより、ガイド部材３６、３７がステージ部３５に固定される。ここで図２に示す例では、ボルトＢを緩めた状態で、左右方向で同一方向に各対のガイド部材３６、３７をスライドさせることにより、搬送路Ｒ１、Ｒ２の左右方向における位置を調整できる。これにより、トウバンド１０３を乾燥装置１３に搬送する際のトウバンド１０３Ａ、１０３Ｂの左右方向における位置を調整できる。またボルトＢを緩めた状態で、左右方向で異なる方向に各対のガイド部材３６、３７をスライドさせることにより、ガイド部３６ｂ、３７ｂの間の間隙を調整できる。これにより、乾燥装置１３に搬送する際のトウバンド１０３Ａ、１０３Ｂの蛇行の振動幅Ｗ１、Ｗ２を調整できる。
【００４２】
なお一例として、揺動部３２の流通路３２ａの搬送方向下流側の端部が、水平面内で搬送路Ｒ１、Ｒ２の左右方向における外側まで揺動するように、ステージ部３５に対するガイド部材３６、３７の固定位置を調整してもよい。これにより、流通路３２ａを通過したトウバンド１０３Ａ、１０３Ｂをガイド部３６ｂ、３７ｂに効率よく接触させて、トウバンド１０３Ａ、１０３Ｂを安定した振動幅Ｗ１、Ｗ２で蛇行させながら搬送できる。
【００４３】
ガイド部材３６、３７の間隙を調整する方法は、上記以外の方法でもよい。例えば、ガイド装置１２にボールねじ機構を設け、ガイド部材３６、３７の少なくとも一方を前記ボールねじ機構により左右方向にスライド移動させることで、ガイド部材３６、３７の間隙を調整してもよい。また、ガイド装置１２は省略してもよい。この場合、揺動装置１１における揺動部３２の振り幅を個別に調整することで、各トウバンド１０３の蛇行の振動幅を個別に調整できる。揺動部３２の振り幅を大きくすれば、トウバンド１０３の蛇行の振動幅を増大でき、揺動部３２の振り幅を小さくすれば、トウバンド１０３の蛇行の振動幅を減少できる。
【００４４】
乾燥装置１３は、ガイド装置１２を通過した各トウバンド１０３を乾燥することにより、各トウバンド１０３に含まれる水及び揮発成分の各一部を除去する。トウバンド製造装置１では、単一の乾燥装置１３を用いて、複数種類のトウバンド１０３を並行して乾燥させる。図１に示すように、乾燥装置１３は、複数種類のトウバンド１０３を並行して搬送するための搬送装置４０を有する。搬送装置４０は、従動ローラ４１、駆動ローラ４２、無端ベルト４３、及び、搬送装置用モータＭ２を有する。従動ローラ４１及び駆動ローラ４２は、平行に軸支されるように配置されている。無端ベルト４３は、搬送方向に回動されるように、従動ローラ４１及び駆動ローラ４２に巻回されている。搬送装置用モータＭ２は、駆動ローラ４２に回転駆動力を伝達するように設けられている。搬送装置用モータＭ２を駆動させると、ガイド装置１２を通過した複数種類のトウバンド１０３が、各対のガイド部材３６、３７によりそれぞれ所定の振動幅で蛇行された状態で左右方向に並列され、無端ベルト４３の上面に載置されて搬送される（図２参照）。乾燥装置１３の内部において、複数種類のトウバンド１０３に気体（ここでは加熱空気）を当てることにより、各トウバンド１０３に含まれる水及び揮発成分の各一部が除去される。
【００４５】
ここで、フィルターロッド製造装置において複数本のフィラメント同士のもつれを防ぎながらトウバンド１０３を適切に開繊する等の目的により、乾燥装置１３を通過した複数種類のトウバンド１０３は、それぞれに応じた適量の水を含有していることが望ましい。これに対してトウバンド製造装置１は、ガイド装置１２において各トウバンド１０３の蛇行の振動幅をそれぞれ調整することにより、乾燥装置１３を通過した各トウバンド１０３に含まれる水の残留量をそれぞれ調整可能に構成されている。
【００４６】
図２に示すように、一例として、ガイド装置１２において二対のガイド部材３６、３７の間の間隙をそれぞれ調整すれば、無端ベルト４３上を搬送されるトウバンド１０３Ａ、１０３Ｂの蛇行の振動幅Ｗ１、Ｗ２を調整できる。これにより、乾燥装置１３におけるトウバンド１０３Ａ、１０３Ｂの乾燥時間を変更でき、トウバンド１０３Ａ、１０３Ｂに含まれる水の残留量を調整できる。トウバンド１０３Ａ、１０３Ｂの蛇行の振動幅を増大させるほど、乾燥装置１３におけるトウバンド１０３Ａ、１０３Ｂの乾燥時間が長くなり、トウバンド１０３Ａ、１０３Ｂに含まれる水の残留量を減少できる。また、トウバンド１０３Ａ、１０３Ｂの蛇行の振動幅を減少させるほど、乾燥装置１３におけるトウバンド１０３Ａ、１０３Ｂの乾燥時間が短くなり、トウバンド１０３Ａ、１０３Ｂに含まれる水の残留量を増大できる。このような調整は、トウバンド１０３Ａ、１０３Ｂの少なくとも一方に行うことができる。
【００４７】
図１に示すように、梱包装置１４は、トウバンド１０３を梱包する。梱包装置１４は、一対のローラ４４、４５を有し、乾燥装置１３を通過したトウバンド１０３をローラ４４、４５の間に挿通させ、ベール状に折り畳んで圧縮することにより、トウバンド１０３を梱包容器２６に梱包する。
【００４８】
第１検出装置Ｄ１及び第２検出装置Ｄ２は、トウバンド製造装置１における搬送経路の所定位置に配置され、所定位置のヤーン束１０２またはトウバンド１０３に含まれる水分量を検出する。具体的に、第１検出装置Ｄ１は、各ヤーン束１０２の各搬送経路Ｌに対応する位置にそれぞれ配置され、ヤーン束１０２に含まれる水分量を検出する。また、第２検出装置Ｄ２は、乾燥装置１３を通過した複数種類のトウバンド１０３のそれぞれに対応する位置に配置され、各トウバンド１０３に含まれる水の残留量を検出する（図２参照）。第１検出装置Ｄ１及び第２検出装置Ｄ２は、一例として赤外線センサであるが、その他のセンサでもよいし、近赤外線分光光度計でもよい。
【００４９】
制御装置１５は、トウバンド製造装置１の各部の動作を制御し、また、第１検出装置Ｄ１及び第２検出装置Ｄ２の各検出結果を表示部５０に表示する。図３は、トウバンド製造装置１の機能ブロック図である。図３に示すように、制御装置１５は、表示部５０、ＣＰＵ５１、ＲＯＭ５２、及び、ＲＡＭ５３を有する。表示部５０は、一例として液晶ディスプレイであり、制御装置１５の筐体のオペレータが視認可能な位置に設けられる。ＲＯＭ５２には、トウバンド製造装置１の制御プログラムが格納されている。ＲＡＭ５３には、オペレータが設定した各種設定情報が格納されている。ＣＰＵ５１は、制御プログラム及び各種設定情報に基づき、オイリング装置５、ゴデットローラ６、一対のニップローラ２０、２１、揺動装置用モータＭ１、及び、搬送装置用モータＭ２の各々の駆動を制御する。またＣＰＵ５１は、制御プログラムに基づき、第１検出装置Ｄ１及び第２検出装置Ｄ２の検出結果を表示部５０に表示する。従って、表示部５０に表示された検出結果を確認することで、オペレータは、第１検出装置Ｄ１に対応する位置のヤーン束１０２に含まれる水分量と、第２検出装置Ｄ２に対応する位置のトウバンド１０３に含まれる水の残留量とを知ることができる。なお、制御装置１５は、パーソナルコンピュータ（ＰＣ）でもよい。
【００５０】
トウバンド製造装置１の稼働時には、水添着装置９で水を添着された各ヤーン束１０２が捲縮装置１０で捲縮され、複数種類のトウバンド１０３が形成される。複数種類のトウバンド１０３は、各搬送経路Ｌを蛇行して搬送されながら単一の乾燥装置１３で乾燥される。これにより、各トウバンド１０３に含まれる水の一部を除去する除去工程が行われる。乾燥装置１３を通過した各トウバンド１０３に含まれる水の残留量が、各第２検出装置Ｄ２により検出され、ＣＰＵ５１が、この各検出結果を表示部５０に表示させる。これにより、各トウバンド１０３の水の残留量の検出工程が行われる。いずれかのトウバンド１０３に含まれる水の残留量が、その目標値とずれていることをオペレータが確認した場合、オペレータは、ガイド装置１２において、このトウバンド１０３の搬送路を規定する一対のガイド部材３６、３７のステージ部３５に対する位置を調整し、トウバンド１０３の蛇行の振動幅を調整する。これにより、乾燥装置１３を通過した複数種類のトウバンド１０３のうちのいずれかのトウバンド１０３に含まれる水の残留量が目標値となるように、当該トウバンド１０３の蛇行の振動幅を調整する調整工程が行われる。
【００５１】
このようにトウバンド製造装置１では、乾燥装置１３を通過した各トウバンド１０３に含まれる水の残留量が、各第２検出装置Ｄ２で個別にかつ精度よく検出され、この各検出結果が表示部５０に表示される。従ってオペレータは、表示部５０に表示された各検出結果に基づいて、乾燥装置１３を通過した各トウバンド１０３に含まれる水の残留量を個別にかつ迅速にチェックできる。また、乾燥装置１３を通過したいずれかのトウバンド１０３に含まれる水の残留量が目標値とずれている場合、オペレータは、ガイド装置１２において、当該トウバンド１０３の蛇行の振動幅を調整することで、乾燥装置１３を通過した当該トウバンド１０３に含まれる水の残留量が目標値となるように、容易に調整できる。
【００５２】
ここで、例えばＦＤまたはＴＤのいずれかが異なる複数種類のトウバンド１０３を乾燥させる場合、各トウバンド１０３に含まれる水の残留量の目標値が互いに異なるため、単一の乾燥装置で並行して複数種類のトウバンド１０３を適切に乾燥することは一般に困難である。これに対してトウバンド製造装置１では、ガイド装置１２において、各トウバンド１０３の蛇行の振動幅を個別に調整できる。よって、複数種類のトウバンド１０３を単一の乾燥装置１３を用いて並行して乾燥させる場合でも、各トウバンド１０３に含まれる水の残留量がそれぞれに応じて適量になるように、各トウバンド１０３を適切に乾燥させることができる。
【００５３】
また、トウバンド製造装置１では、複数の揺動装置１１の揺動部３２に各トウバンド１０３を接触させ、各トウバンド１０３を蛇行させた状態で搬送装置４０に搬送させる。このため乾燥装置１３において、各トウバンド１０３を搬送方向上流側から効率よく乾燥させることができる。
【００５４】
また、左右方向に間隔をおいて設けられた複数の揺動装置１１を用いて、各トウバンド１０３を並列させて蛇行させた状態で搬送装置４０に搬送させる。このため、各トウバンド１０３が互いに干渉するのを防止しながら、各トウバンド１０３を並行して効率よく乾燥させることができる。
【００５５】
また、トウバンド製造装置１では、各トウバンド１０３を乾燥させるために単一の乾燥装置１３を用いる。このため、各トウバンド１０３の生産コストの低減が図れるとともに、トウバンド製造装置１をコンパクトに構成することができる。
【００５６】
なお、トウバンド製造装置１は、複数の乾燥装置１３を備えてもよい。この場合、各乾燥装置１３で複数種類のトウバンド１０３を並行して乾燥させることができる。また、トウバンド製造装置１で製造するトウバンドの用途は、シガレットフィルターの製造用途に限定されず、例えば、紙オムツや生理用品等の吸収体（吸収部材とも称する。）の製造用途でもよい。
【産業上の利用可能性】
【００５７】
以上のように、本発明の一態様によれば、複数種類のトウバンドを並行して製造する場合において、単一の乾燥装置を用いながら、各トウバンドに含まれる水の残留量がそれぞれに応じて適量になるように、各トウバンドを並行して乾燥できる優れた効果を有する。従って、この効果の意義を発揮できるトウバンドの製造方法及びトウバンド製造装置として広く適用すると有益である。
【符号の説明】
【００５８】
Ｄ１    第１検出装置
Ｄ２    第２検出装置
１    トウバンド製造装置
１１    揺動装置
１３    乾燥装置
３２    揺動部
３６、３７    ガイド部材
４０    搬送装置
５０    表示部
１００    フィラメント
１０３、１０３Ａ、１０３Ｂ    トウバンド
【図１】
2017021995.tif 000003
【図２】
2017021995.tif 000004
【図３】
2017021995.tif 000005
【国際調査報告】
2017021995.tif 000006
2017021995.tif 000007
2017021995.tif 000008